(57)【要約】【課題】  プラズマ表示装置組立体を提供すること。【解決手段】  パネル組立体と、これを支持するシャシーベースと、シャシーベースの背面に固着される駆動回路部と、パネル組立体の各端子と駆動回路部の各端子とに両端部が接続され、駆動ＩＣと、これと連結されたリードと、リードを埋め込むフィルムを備えたＴＣＰと、シャシーベースとＴＣＰとの間に介在し、ＴＣＰの短絡を防止する短絡防止手段と、を含むプラズマ表示装置組立体である。これにより、シャシーベースと、ＴＣＰと、の間に絶縁性を有する短絡防止手段が設けられることによって、組立工程中にフィルムが損傷されてリードがシャシーベースと接触して発生する短絡を未然に防止することができる。【選択図】  図３
2006139260.tif 000002
【特許請求の範囲】
【請求項１】
パネル組立体と、
前記パネル組立体を支持するシャシーベースと、
前記シャシーベースの背面に固着される駆動回路部と、
前記パネル組立体の各端子と駆動回路部の各端子とに両端部が接続され、駆動ＩＣと、該駆動ＩＣと連結されたリードと、前記リードを埋め込むフィルムと、を備えたテープキャリアパッケージと、
前記シャシーベースと前記テープキャリアパッケージとの間に介在し、該テープキャリアパッケージの短絡を防止する短絡防止手段と、を含むことを特徴とするプラズマ表示装置組立体。
【請求項２】
前記短絡防止手段は、前記テープキャリアパッケージと対応する部分のシャシーベースの外面に沿って固着されたストリップ型の絶縁プレートを備えたことを特徴とする、請求項１に記載のプラズマ表示装置組立体。
【請求項３】
前記絶縁プレートには、前記駆動ＩＣと対応する所に熱伝導媒体を形成したことを特徴とする、請求項２に記載のプラズマ表示装置組立体。
【請求項４】
前記熱伝導媒体は、サーマルグリースであることを特徴とする、請求項３に記載のプラズマ表示装置組立体。
【請求項５】
前記熱伝導媒体は、前記絶縁プレートと同じ平面上に配置されるように前記絶縁プレートに形成した充填孔を通じて形成されることを特徴とする、請求項３に記載のプラズマ表示装置組立体。
【請求項６】
前記絶縁プレートの下部には前記シャシーベースの端部を両側から取り囲むように折り曲げられた挿入部が形成されることを特徴とする、請求項２に記載のプラズマ表示装置組立体。
【請求項７】
前記絶縁プレートは、柔軟性を有する絶縁性フィルムであることを特徴とする、請求項２に記載のプラズマ表示装置組立体。
【請求項８】
前記絶縁プレートは、前記シャシーベースの長手方向に沿って少なくとも１枚以上が連続的に配されたことを特徴とする、請求項２に記載のプラズマ表示装置組立体。
【請求項９】
前記テープキャリアパッケージの外部には、これを保護するためにカバープレートがさらに設けられたことを特徴とする、請求項１に記載のプラズマ表示装置組立体。
【請求項１０】
前記テープキャリアパッケージと前記カバープレートとの間には、放熱シートがさらに設けられたことを特徴とする、請求項９に記載のプラズマ表示装置組立体。
【請求項１１】
パネル組立体を支持するシャシーベースと、
前記シャシーベースの後方に所定間隔だけ離隔して配置され、前記シャシーベースの上下端部を取り囲むカバープレートと、
前記シャシーベースとカバープレートとの間に配され、駆動ＩＣと、これと連結されたリードと、
前記リードを埋め込むフィルムを備えたテープキャリアパッケージと、
前記シャシーベースと前記テープキャリアパッケージとの間に配され、前記テープキャリアパッケージの損傷を防止するための短絡防止手段と、
を備えることを特徴とするプラズマ表示装置組立体。
【請求項１２】
前記短絡防止手段は、前記テープキャリアパッケージと対応する部分のシャシーベースの外面に固着されるストリップ型の絶縁プレートを備えたことを特徴とする、請求項１１に記載のプラズマ表示装置組立体。
【請求項１３】
前記絶縁プレートには、前記駆動ＩＣと対応する部分に充填孔が形成され、前記充填孔には前記駆動ＩＣから発生する熱をシャシーベースに伝達するための熱伝導媒体が介在したことを特徴とする、請求項１２に記載のプラズマ表示装置組立体。
【発明の詳細な説明】
【技術分野】
【０００１】
本発明は、プラズマ表示装置組立体に係り、より詳細には、テープキャリアパッケージ（Ｔａｐｅ  Ｃａｒｒｉｅｒ  Ｐａｃｋａｇｅ：ＴＣＰ）の破損による短絡を防止するためにＴＣＰとシャシーベースとの間に短絡防止手段が設けられたプラズマ表示装置組立体に関する。
【背景技術】
【０００２】
通常、プラズマ表示装置組立体は、複数の基板の対向面に複数の放電電極を形成し、基板間の放電空間に放電ガスを注入した状態で所定の電源を印加して放電空間で発生する紫外線によって発光された光を用いて画像を具現する平板表示装置を言う。
【０００３】
前記プラズマ表示装置組立体は、前面及び背面パネルを各々製造してこれを結合させ、パネル組立体の後方にシャシーベースを組み立て、シャシーベースの後方にパネル組立体と電気的信号を互いに伝達可能にする駆動回路部を実装し、所定の検査過程を通じた後、ケースに装着することによって完成される。
【０００４】
図１を参照すれば、従来のプラズマ表示装置組立体１００は、前面パネル１０２と、これと結合する背面パネル１０３を備えるパネル組立体１０１と、前記パネル組立体１０１の後方に接着部材１０５によって結合されるシャシーベース１０４と、前記シャシーベース１０４の上下端に設けられるカバープレート１０６と、前記シャシーベース１０４とカバープレート１０６との間に介在しるＴＣＰ１０７を含む。前記ＴＣＰ１０７は、駆動ＩＣ１０８と、前記駆動ＩＣ１０８と連結されたリードを埋め込む柔軟性を有するフィルム１０９と、を備える。
【０００５】
前記のような構造を有する従来のプラズマ表示装置組立体１００は、駆動中に発生する熱を、パネル組立体１０１から熱伝導媒体の役割を共に行う接着部材１０５を経てシャシーベース１０４を通じて排出させる。
【０００６】
また、プラズマ表示装置組立体１００は、前記パネル組立体１０１から発生する熱だけでなく、ＴＣＰ１０７の駆動ＩＣ１０８からも発生する。このような駆動ＩＣ１０８から発生する熱も前記シャシーベース１０４の端部１０４ａとカバープレート１０６とを通じて外部に放出される。
【０００７】
ところが、従来のプラズマ表示装置組立体１００は次のような問題点を有する。
【０００８】
第１に、駆動中、前記駆動ＩＣ１０８から相当な熱が発生するが、このような熱を十分に放出しなければ、駆動ＩＣ１０８に適正温度以上の熱が持続的に発生して駆動ＩＣ１０８の損傷が発生する。
【０００９】
このような現象を防止するために、従来のＴＣＰ１０７の一側にはシャシーベース１０４が接し、他側には放熱シート１１０を介してカバープレート１０６が所定の圧力で押圧している。
【００１０】
しかし、前記フィルム１０９まで圧力が伝達されて、シャシーベース１０４の端部１０４ａとフィルム１０９とが相互干渉して、シャシーベース１０４の折り曲げ部や異物などによってフィルム１０９が突かれる現象が発生する。これにより、前記フィルム１０９の断線や短絡の恐れがある。
【００１１】
第２に、アルミニウムよりなるシャシーベース１０４の製造時、アルミニウムの原素材を打ち抜きして成形するが、このようなアルミニウムの原素材の加工は平坦化作業と、切断作業とを経るようになる。前記工程は、強い圧力を加えてなるが、このような工程でアルミニウムの原素材に伝導性異物が発生する。伝導性異物が前記ＴＣＰ１０７の定着面に残ることによって、突かれと伝導性異物と、による短絡が発生する。
【発明の開示】
【発明が解決しようとする課題】
【００１２】
本発明は、前記問題点を解決するため案出されたものであって、シャシーベースとＴＣＰとの間に短絡防止手段を設けてＴＣＰに加えられる所定の圧力によって短絡が起こる現象を防止するために、その構造が改善されたプラズマ表示装置組立体を提供することをその目的とする。
【００１３】
本発明の他の目的は、シャシーベースとＴＣＰとの間に配置される短絡防止手段に熱伝導媒体を形成して、駆動ＩＣから発生する熱を外部に迅速に放出するためのプラズマ表示装置組立体を提供することである。
【課題を解決するための手段】
【００１４】
前記目的を達成するために、本発明の一側面に係るプラズマ表示装置組立体は、パネル組立体と、前記パネル組立体を支持するシャシーベースと、前記シャシーベースの背面に固着される駆動回路部と、前記パネル組立体の各端子と駆動回路部の各端子に両端部が接続され、駆動ＩＣと、これと連結されたリードと、前記リードを埋め込むフィルムを備えたＴＣＰと、前記シャシーベースと、ＴＣＰ間に介在し、前記ＴＣＰの短絡を防止する短絡防止手段と、を含むことを特徴とする。
【００１５】
また、前記短絡防止手段は、前記ＴＣＰと対応する部分のシャシーベースの外面に沿って固着されたストリップ型の絶縁プレートを備えたことを特徴とする。
【００１６】
また、前記絶縁プレートには前記駆動ＩＣと対応する所に熱伝導媒体を形成したことを特徴とする。
【００１７】
また、前記熱伝導媒体は、前記絶縁プレートと同じ平面上に配置されるために前記絶縁プレートにした充填孔を通じて形成されることを特徴とする。
【００１８】
また、前記ＴＣＰの外部にはこれを保護するためにカバープレートがさらに設けられたことを特徴とする。
【００１９】
また、前記ＴＣＰとカバープレートとの間には放熱シートがさらに設けられたことを特徴とする。
【００２０】
本発明の他の側面に係るプラズマ表示装置組立体は、パネル組立体を支持するシャシーベースと、前記シャシーベースの後方に所定間隔だけ離隔して配置され、前記シャシーベースの上下端部を取り囲むカバープレートと、前記シャシーベースとカバープレートとの間に配置され、駆動ＩＣと、これと連結されたリードと、前記リードを埋め込むフィルムを備えたＴＣＰと、前記シャシーベースとＴＣＰとの間に配置され、前記ＴＣＰの損傷を防止するための短絡防止手段と、を含むことを特徴とする。
【００２１】
また、前記短絡防止手段は、前記ＴＣＰと対応する部分のシャシーベースの外面に固着されるストリップ型の絶縁プレートを備えたことを特徴とする。
【００２２】
また、前記絶縁プレートには、前記駆動ＩＣと対応する部分に充填孔が形成され、前記充填孔には前記駆動ＩＣから発生する熱をシャシーベースに伝達するための熱伝導媒体が介在したことを特徴とする。
【発明の効果】
【００２３】
本発明のプラズマ表示装置組立体は次のような効果が得られる。
第１に、シャシーベースとＴＣＰとの間に絶縁性を有する短絡防止手段が設けられることによって、組立工程中にフィルムが損傷されて、リードがシャシーベースと接触して発生する短絡を未然に防止することができる。
第２に、シャシーベースの製造工程中に残留するバリによってフィルムが損傷されて発生する短絡現象も防止することができる。
第３に、駆動ＩＣと対応する部分には短絡防止手段に熱伝導媒体を形成することによって、駆動ＩＣから発生する熱を速かにシャシーベースを通じて排出することができる。これにより、駆動ＩＣの駆動温度を適正に保持できるので、駆動チップの信頼度を向上させうる。
第４に、短絡防止手段の熱伝導媒体が絶縁プレートに形成した充填孔を通じて形成されるので、絶縁プレートに対して熱伝導媒体が同じ平面上に置かれるので、組立時に外力を均一に分散させうる。
第５に、短絡防止手段をシャシーベースの外面に少なくとも１つ以上配置することによって、プラズマ表示装置組立体の大きさに適切に対応できる。
第６に、短絡防止手段の絶縁プレートにシャシーベースの端部を取り囲む挿入部を形成することによって、端部のコーナーから発生するフィルムの損傷を未然に防止することができる。
【発明を実施するための最良の形態】
【００２４】
以下、添付した図面に基づいて本発明の望ましい実施形態に係るプラズマ表示装置組立体を詳細に説明する。
【００２５】
図２は、本発明の一実施形態に係るプラズマ表示装置組立体２００を示すものである。
【００２６】
図面を参照すれば、前記プラズマ表示装置組立体２００には、前面パネル２０２と、前記前面パネル２０２と対向して配置された背面パネル２０３と、を備えたパネル組立体２０１を含む。
【００２７】
前記前面パネル２０２には、放電維持電極対と、放電維持電極対を埋め込む前面誘電体層と、前面誘電体層の表面にコーティングされた保護膜層と、を含む。前記背面パネル２０３には、放電維持電極対と交差する方向に配置されたアドレス電極と、アドレス電極を埋め込む背面誘電体層と、を含む。前記前面及び背面パネル２０２、２０３には、放電空間を限定し、クロストークを防止する隔壁と、隔壁の内側に塗布される赤、緑、青の蛍光体層と、が各々形成される。
【００２８】
前記パネル組立体２０１の後方には、シャシーベース２０４が配置されている。前記シャシーベース２０４は、接着部材によってパネル組立体２０１と結合されている。接着部材としては、背面パネル２０３の外面中央に介在した放熱シート２０５と、背面パネル２０３の外面エッジに介在した両面テープ２０６と、を含む。前記放熱シート２０５は、パネル組立体２０１から発生する熱を外部に排出しうる。
【００２９】
前記シャシーベース２０４の後方には、駆動回路部２０７が設けられている。前記駆動回路部２０７には、多数の回路素子が実装されており、ＴＣＰ２０８が固着されている。前記ＴＣＰ２０８は、パネル組立体２０１の各電極端子と駆動回路部２０７との間に接続され、電気的信号を伝達している。
【００３０】
前記パネル組立体２０１の前方には、フィルター組立体２１２が設けられている。前記フィルター組立体２１２は、駆動中に前記パネル組立体２０１から発生する電磁波や、赤外線や、ネオン発光や、外光の反射を遮断するために設けられている。
【００３１】
前記パネル組立体２０１、シャシーベース２０４、フィルター組立体２１２は、ケース２１５内に収容されている。前記ケース２１５は、前記フィルター組立体２１２の前方に設けられたフロントキャビネット２１３と、前記シャシーベース２０４の後方に設けられたカバーバック２１４とよりなっている。前記カバーバック２１４の上下端には、多数のベントホール２１４ａが形成される。
【００３２】
一方、前記フィルター組立体２１２の背面には、フィルターホルダー２１８が設けられている。前記フィルターホルダー２１８は、前記フロントキャビネット２１３に対してフィルター組立体２１２を加圧するプレス部２１６と、前記プレス部２１６から後方に折り曲げられた固定部２１７と、を含む。前記固定部２１７には、多数の締結孔２１７ａが形成される。
【００３３】
そして、前記フロントキャビネット２１３の背面には、フィルター装着部２１９が設けられている。前記フィルター装着部２１９には、前記固定部２１７が対向して位置しており、ねじ２２０によって前記フロントキャビネット２１３に対してフィルター組立体２１２を固定している。
【００３４】
ここで、駆動中にＴＣＰ２０８から発生する熱を外部に速かに排出し、これと同時にＴＣＰ２０８の短絡を防止するための短絡防止手段が設けられる。
【００３５】
より詳細には、図３及び図４を参照して詳細に説明する。
【００３６】
図３は、図２のプラズマ表示装置組立体２００の一部を切除して示したものであり、図４は、図３の短絡防止手段が設けられた部分を拡大して示すものである。
【００３７】
図３及び図４を参照すれば、前記パネル組立体２０１の後方には、シャシーベース２０４が配置されている。前記パネル組立体２０１とシャシーベース２０４との間には、放熱シート２０５と両面テープ２０６とが介在している。前記シャシーベース２０４は、前記放熱シート２０５に対して直接的に接触せず、所定間隔だけ離隔して配置させることもある。
【００３８】
前記シャシーベース２０４は、熱伝導性に優れた金属、例えば、アルミニウム合金よりなることが望ましく、その端部２０４ａは、前記パネル組立体２０１が設けられた方向と反対方向に“Ｌ”字形状に折り曲げられている。前記シャシーベース２０４の後方には、駆動回路部２０７が設けられている。
【００３９】
この際、前記駆動回路部２０７とパネル組立体２０１との間には、パネル組立体２０１に形成した電極端子と、駆動回路部２０７に設けられたコネクタ２０７ａとを電気的に接続させるためにＴＣＰ２０８が設けられている。前記ＴＣＰ２０８の一端はパネル組立体２０１内の電極端子に接続され、他端は、コネクタ２０７ａに連結されている。このようなＴＣＰ２０８は、駆動ＩＣ２２１と、前記駆動ＩＣ２２１の各リードに電気的に連結されたリード２２３と、前記リード２２３を埋め込む柔軟性を有するフィルム２２２を含む。
【００４０】
前記ＴＣＰ２０８は、前記シャシーベース２０４の端部２０４ａと、前記端部２０４ａの後方に配置されたカバープレート２１０と、の間に配置されている。すなわち、ＴＣＰ２０８は、一端がパネル組立体２０１に連結された状態で前記シャシーベース２０４の端部２０４ａとカバープレート２１０との間を通過して他端が前記駆動回路部２０７のコネクタ２０７ａに接続されている。前記カバープレート２１０は前記ＴＣＰ２０８を外部の衝撃から防止すると同時に、放熱機能を行う。
【００４１】
ここで、前記シャシーベース２０４の端部２０４ａと、ＴＣＰ２０８と、の間には前記ＴＣＰ２０８の破損による短絡を防止するために短絡防止手段２０９が設けられている。
前記短絡防止手段２０９は、前記ＴＣＰ２０８と対応するシャシーベース２０４の端部２０４ａの外面に沿って固着されたストリップ型の絶縁プレート２２４を含む。このような絶縁プレート２２４は、絶縁性を有すると同時に柔軟性を有する材質、例えば、フィルム状である。また、前記絶縁プレート２２４は、前記シャシーベース２０４の長手方向に沿って１枚のストリップ状に配されている。
【００４２】
そして、前記絶縁プレート２２４は、前記駆動ＩＣ２２１と対応する所に熱伝導媒体２２５がさらに形成される。前記駆動ＩＣ２２１の外面は前記熱伝導媒体２２５の表面と直接的に接触されている。この際、前記熱伝導媒体２２５は、前記絶縁プレート２２４の外面に沿って固着されうるが、さらに望ましくは、前記絶縁プレート２２４と同じ平面上に配されることである。
【００４３】
このために、前記絶縁プレート２２４には、前記熱伝導媒体２２５が介在しる充填孔２２４ａが所定間隔だけ離隔して配置されている。前記充填孔２２４ａは、前記駆動ＩＣ２２１が配置される所に沿って間歇的に形成される。
【００４４】
前記熱伝導媒体２２５は、充填孔２２４ａ内に固状に固着させ、前記絶縁プレート２２４がシャシーベース２０４の端部２０４ａの外面に固着された後で、前記充填孔２２４ａ内に液状で所定量注入して固状化させることもできる。このような素材としてサーマルグリース（ｔｈｅｒｍａｌ  ｇｒｅａｓｅ）が望ましい。
【００４５】
一方、前記絶縁プレート２２４には、前記シャシーベース２０４の端部２０４ａに配置されたガイド部４１に挟まれて前記シャシーベース２０４に対する絶縁プレート２２４の位置を整列させるためのガイド孔２２４ｂをさらに形成し得る。
【００４６】
また、前記ＴＣＰ２０８とカバープレート２１０との間には、放熱シート２１１がさらに設けられている。前記放熱シート２１１は、前記カバープレート２１０の内面に固着されており、駆動ＩＣ２２１の外面が、所定圧力が印加された状態で接触されている。前記放熱シート２１１は、シリコンシートなどを選択しうる。
【００４７】
このように、前記ＴＣＰ２０８と、シャシーベース２０４の端部２０４ａと、の間には、絶縁プレート２２４が介在しており、ＴＣＰ２０８とカバープレート２１０との間には、放熱シート２１１が介在している。また、前記ＴＣＰ２０８の駆動ＩＣ２２１の一面には、前記絶縁プレート２２４の充填孔２２４ａに充填された熱伝導媒体２２５が接触し、駆動ＩＣ２２１の他面には放熱シート２１１が接触されている。
【００４８】
前述したような構成を有するプラズマ表示装置組立体２００は、駆動中にパネル組立体２０１から発生する熱は放熱シート２０５を経てシャシーベース２０４を通じて放出される。
【００４９】
また、前記ＴＣＰ２０８の駆動ＩＣ２２１から発生された熱は熱伝導媒体２２５を経てシャシーベース２０４の端部２０４ａを通じて１次的に排出され、これと同時に放熱シート２１１を経てカバープレート２１０を通じて２次的に排出可能である。
【００５０】
このように排出された熱は、カバーバック２１４に形成した多数のベントホール２１４ａを通じて外部から流入する空気によって冷却されつつ、対流現象によってケース２１５の下端から上端に流動して外部に排出される。
【００５１】
このようなプラズマ表示装置組立体２００を製造するためには、前記シャシーベース２０４の端部２０４ａ外面に絶縁プレート２２４を固着させる。前記絶縁プレート２２４には、ガイド孔２２４ｂが形成されており、前記シャシーベース２０４の端部２０４ａ外面に突出されたガイド部４１に挿入されてその位置を定めている。また、前記絶縁プレート２２４に形成した充填孔２２４ａ内には液状の熱伝導媒体２２５、例えば、サーマルグリースを塗布して固状化させる。
【００５２】
前記ＴＣＰ２０８は、一端がパネル組立体２０１の電極端子と連結させ、他端が駆動回路部２０７のコネクタ２０７ａに接続させた状態で、前記駆動ＩＣ２２１の一面を熱伝導媒体２２５の外面に接触させる。
【００５３】
一方、前記ＴＣＰ２０８を保護するために、前記ＴＣＰ２０８の外側には前記シャシーベース２０４の端部２０４ａを取り囲むようにカバープレート２１０を位置させる。これにより、前記ＴＣＰ２０８は前記シャシーベース２０４の端部２０４ａと、カバープレート２１０と、の間に位置するようになる。
【００５４】
次いで、前記駆動ＩＣ２２１の他面を、カバープレート２１０内に固着された放熱シート２１１に接続させた状態で、所定の圧着力が加えられて固定させる。
【００５５】
このようなプラズマ表示装置組立体２００の組立過程でシャシーベース２０４の変形や、外力による撓みなどよって駆動ＩＣ２２１に加えられる圧力が増加する場合にも、前記駆動ＩＣ２２１と、シャシーベース２０４の端部２０４ａと、の間には、前記シャシーベース２０４の端部２０４ａ幅をカバーするほどの絶縁シート２２４が介在しているので、フィルム２２２が破られて露出されるリード２２３の短絡を防止することができる。
図５は、本発明の第２実施形態に係る短絡防止手段６０９が配置された部分を示すものである。
【００５６】
以下、前述した図面と同じ参照番号は同じ機能をする同じ部材を示す。
【００５７】
図面を参照すれば、シャシーベース２０４の端部２０４ａは、後方に所定角度折り曲げられている。このような端部２０４ａの外面には短絡防止手段６０９が固着される。前記短絡防止手段６０９は、ストリップ状の絶縁プレート６１１、６１２、６１３からなり、このような絶縁プレート６１１、６１２、６１３は、前記シャシーベース２０４の長手方向に沿って複数個配置されている。
【００５８】
すなわち、第１絶縁プレート６１１と、前記第１絶縁プレート６１１と分離された第２絶縁プレート６１２と、前記第２絶縁プレート６１２と分離された第３絶縁プレート６１３が連続的に配置されており、このような絶縁プレートの長さや個数は任意に設定可能である。
【００５９】
また、第１絶縁プレート６１１には、第１充填孔６１１ａが所定間隔だけ離隔して形成されており、第２絶縁プレート６１２には第２充填孔６１２ａが間歇的に形成されており、第３絶縁プレート６１３には第３充填孔６１３ａが形成される。
【００６０】
このような第１ないし第３充填孔６１１ａ、６１２ａ、６１３ａには、サーマルグリースのような熱伝導媒体６２５が介在し、前記熱伝導媒体６２５が配置される部分はＴＣＰ２０８（図３参照）の駆動ＩＣ２２１と対応する所である。
【００６１】
図６は、本発明の第２実施形態に係るプラズマ表示装置組立体の一部を切除して示すものである。
【００６２】
図面を参照すれば、プラズマ表示装置組立体は、前面パネル６０２とこれと結合される背面パネル６０３とを備えたパネル組立体６０１と、前記パネル組立体６０１の後方に結合されるシャシーベース６０４と、前記シャシーベース６０４の後方に結合される駆動回路部６０７と、を含む。
【００６３】
前記パネル組立体６０１とシャシーベース６０４との間には接着部材が介在し、接着部材としては結合される中央部分に位置する放熱シート６０５と、エッジ部分に位置する両面テープ６０６と、を備える。
【００６４】
前記パネル組立体６０１の前方にはフィルター組立体６１２が位置し、前記フィルター組立体６１２の前方にはフロントキャビネット６１３が設けられ、前記駆動回路部６０７の後方には、前記フロントキャビネット６１３と結合されて、フィルター組立体６１２と、パネル組立体６０１と、シャシーベース６０４と、駆動回路部６０７と、を収容するカバーバック６１４が設けられている。前記カバーバック６１４には、駆動中に外部から空気が流入及び排出されるベントホール６１４ａが多数個形成される。
【００６５】
一方、前記フィルター組立体６１２は、プレス部６１６によってフロントキャビネット６１３に対して加圧されて、前記プレス部６１６から後方に折り曲げられた固定部６１７は、前記フロントキャビネット６１３の背面に設けられたフィルター装着部６１９に螺合されて、前記フロントキャビネット６１３に対してフィルター組立体６１２を固定している。
【００６６】
この際、前記シャシーベース６０４の端部６０４ａの外側には、所定間隔だけ離隔して前記パネル組立体６０１の上下端とシャシーベース６０４の上下端とを取り囲むようにカバープレート６１０が設けられている。前記カバープレート６１０の内面にはシリコンシートのような放熱シート６１１が固着されている。前記放熱シート６１１は前記カバープレート６１０の長手方向に沿ってストリップ型に固着される。
【００６７】
そして、前記シャシーベース６０４の端部６０４ａと、カバープレート６１０と、の間にはＴＣＰ６０８が介在しる。前記ＴＣＰ６０８は、駆動ＩＣ６２１と、前記駆動ＩＣ６２１と連結された多数のリード６２３と、前記リード６２３を埋め込む柔軟性を有するフィルム６２２を備える。
【００６８】
前記ＴＣＰ６０８は、リード６２３の一端がパネル組立体６０１の各電極端子と電気的に連結されており、他端が駆動回路部６０７のコネクタ６０７ａに接続されている。
【００６９】
ここで、前記シャシーベース６０４の端部６０４ａと、ＴＣＰ６０８と、の間には、短絡防止手段６０９が設けられている。前記短絡防止手段６０９はストリップ型の絶縁プレート６２４と、前記絶縁プレート６２４に形成した充填孔６２４ａを通じて介在する熱伝導媒体６２５を含む。前記絶縁プレート６２４は、前記シャシーベース６０４の端部６０４ａの外面に固着され、前記熱伝導媒体６２５は駆動ＩＣ６２１と接触している。
【００７０】
この際、前記絶縁プレート６２４の長手方向の下部は折り曲げられて挿入部６２４ｂを構成しており、前記挿入部６２４ｂは、前記シャシーベース６０４の端部６０４ａの両面を収容している形状である。前記絶縁プレート６２４が所定の弾性を有している素材からなっており、前記挿入部６２４ａは前記端部６０４ａにはめ入れている形状である。
【００７１】
前記のような構成を有するプラズマ表示装置組立体は、駆動ＩＣ６２１から発生する熱が短絡防止手段６０９に備えられた熱伝導媒体６２５を経てシャシーベース６０４の端部６０４ａを通じて排出されると同時に、その反対側に放熱シート６１１を経てカバープレート６１０を通じて排出される。
【００７２】
本発明は、図面に示した実施形態に基づいて説明してきたが、これは例示的なものに過ぎず、当業者ならばこれより多様な変形及び均等な他の実施形態が可能であるという点を理解できるであろう。したがって、本発明の真の技術的保護範囲は、特許請求の範囲の技術思想によってのみ決まるべきである。
【産業上の利用可能性】
【００７３】
本発明は、プラズマ表示装置組立体に関連した技術分野に好適に適用しうる。
【図面の簡単な説明】
【００７４】
【図１】従来のプラズマ表示装置組立体の一部を切除して示す断面図である。
【図２】本発明の一実施形態に係るプラズマ表示装置組立体を示す分離斜視図である。
【図３】図２のプラズマ表示装置組立体の一部を切除して示す断面図である。
【図４】図３の短絡防止手段が設けられた部分を示す分離斜視図である。
【図５】本発明の第２実施形態に係る短絡防止手段が設けられた部分を示す分離斜視図である。
【図６】本発明の第２実施形態に係るプラズマ表示装置組立体の一部を切除して示す断面図である。
【符号の説明】
【００７５】
２００  プラズマ表示装置組立体
２０１  パネル組立体
２０２  前面パネル
２０３  背面パネル
２０４  シャシーベース
２０５  放熱シート
２０６  両面テープ
２０７  駆動回路部
２０８  ＴＣＰ
２１２  フィルター組立体
２１３  フロントキャビネット
２１５  ケース
２１４  カバーバック
２１４ａ  ベントホール
２１６  プレス部
２１７  固定部
２１７ａ  締結孔
２１８  フィルターホルダー
２１９  フィルター装着部
２２０  ねじ
【図１】
2006139260.tif 000003
【図２】
2006139260.tif 000004
【図３】
2006139260.tif 000005
【図４】
2006139260.tif 000006
【図５】
2006139260.tif 000007
【図６】
2006139260.tif 000008